【手続補正書】
【提出日】平成26年7月10日(2014.7.10)
【手続補正１】
【補正対象書類名】特許請求の範囲
【補正対象項目名】全文
【補正方法】変更
【補正の内容】
【特許請求の範囲】
【請求項１】
携帯端末装置と通信接続可能な電気機器であって、
前記目的データを記憶する設定記憶領域を含む可変記憶部と、
少なくとも前記設定記憶領域のアドレスを示す設定アドレス情報を含む固定データを、他の電気機器と共通するアドレスである特定アドレスに記憶する固定記憶部と、
前記携帯端末装置と通信を行う機器通信部と、
前記可変記憶部及び前記固定記憶部から、前記携帯端末装置により指定されるアドレスに記憶されるデータを読み出し、その読み出された読出データを前記機器通信部によって前記携帯端末装置へ送信させるアクセス制御部とを備える電気機器。
【請求項２】
前記アクセス制御部は、
前記固定記憶部から、前記携帯端末装置により指定される前記特定アドレスに記憶される固定データを読み出して、その読み出された固定データを前記機器通信部によって前記携帯端末装置へ送信させ、
前記可変記憶部から、前記携帯端末装置により指定される前記設定アドレス情報が示すアドレスに記憶される目的データを読み出し、その読み出された目的データを前記機器通信部によって前記携帯端末装置へ送信させる
請求項１に記載の電気機器。
【請求項３】
前記電気機器は、
前記可変記憶部に前記目的データを記憶させる機器制御部をさらに備え、
前記機器制御部は、前記可変記憶部の、前記目的データが記憶された記憶領域のアドレスを示す情報を、前記設定アドレス情報として前記固定記憶部に記憶させる
請求項１又は２に記載の電気機器。
【請求項４】
前記可変記憶部は、第１可変記憶部と第２可変記憶部とを含み、
前記可変記憶部の読出し要求は、前記第１可変記憶部の読出し要求又は前記第２可変記憶部の読出し要求であり、
前記機器制御部は、前記目的データを前記第１可変記憶部に記憶させ、
前記アクセス制御部は、前記機器通信部によって受信された、前記可変記憶部の前記読出し要求が、前記第１可変記憶部の読み出し要求か否かを判断し、前記第１可変記憶部の読み出し要求であった場合、前記読出し要求により指定されたアドレスを指定して前記機器制御部に前記第１可変記憶部の読み出しを要求し、前記機器制御部により読み出されたデータを取得することによって間接的に前記第１可変記憶部から前記目的データを読出す
請求項３記載の電気機器。
【請求項５】
前記アクセス制御部は、前記機器通信部によって受信された、前記可変記憶部の前記読出し要求が、前記第２可変記憶部の読み出し要求か否かを判断し、前記第２可変記憶部の読み出し要求であった場合、直接前記第２可変記憶部から前記第２可変記憶部に記憶された目的データを読出す
請求項４記載の電気機器。
【請求項６】
前記可変記憶部は、前記電気機器へ動作を指示するための制御命令の書込を受け付ける命令受付領域を含み、
前記固定データは、前記命令受付領域のアドレスを示す制御命令書込アドレスを含む請求項１〜５のいずれか１項に記載の電気機器。
【請求項７】
前記機器通信部が、前記携帯端末装置との間で行う前記通信は、近距離無線通信である請求項１〜６のいずれか１項に記載の電気機器。
【請求項８】
電気機器と通信可能な携帯端末装置であって、
前記電気機器の前記機器通信部と通信を行う携帯通信部と、
複数の電気機器に共通するアドレスである特定アドレスを記憶する特定アドレス記憶部と、
前記携帯通信部によって前記機器通信部へ、前記特定アドレスを指定して前記電気機器が備える記憶部に記憶された固定データを読み出すことを要求することにより、前記機器通信部から前記固定データを取得する固定データ取得部と、
前記固定データ取得部によって取得された前記固定データに含まれる設定アドレス情報に応じたアドレスを指定して前記電気機器が備える記憶部に記憶された目的データを読み出すことを要求することにより、前記機器通信部から前記目的データを取得する目的データ取得部と
を備える携帯端末装置。
【請求項９】
前記携帯端末装置は、
前記固定データが示す一又は複数の情報の意味と、前記固定データ中の、前記一又は複数の情報が配置される位置とを示すフォーマット情報を、複数、前記各フォーマット情報を識別するフォーマット識別情報と対応付けて予め記憶するフォーマット情報記憶部をさらに備え、
前記固定データは、自データに対応する前記フォーマット識別情報を含み、
前記目的データ取得部は、前記固定データに含まれる前記フォーマット識別情報と対応付けて前記フォーマット情報記憶部に記憶されたフォーマット情報に基づいて、前記固定データ取得部によって取得された前記固定データから、前記設定アドレス情報を取得する請求項８に記載の携帯端末装置。
【請求項１０】
前記固定データは、自データが正しいか否かを確認するための誤り検出符号を含み、
前記固定データ取得部は、前記取得された固定データが正しいか否かを、その固定データに含まれる誤り検出符号に基づき判定する請求項８又は９に記載の携帯端末装置。
【請求項１１】
前記携帯通信部が、前記電気機器との間で行う前記通信は、近距離無線通信である請求項８〜１０のいずれか１項に記載の携帯端末装置。
【請求項１２】
電気機器からデータを取得するための通信方法であって、
前記電気機器へ複数の電気機器に共通するアドレスである特定アドレスを指定して、前記電気機器が備える記憶部に記憶された固定データを読み出すことを要求し、
前記要求に応じて前記電気機器によって読み出された前記固定データを前記電気機器から取得し、
取得された前記固定データに含まれる設定アドレス情報に応じたアドレスを指定して、前記電気機器が備える記憶部に記憶された目的データを読み出すことを要求し、
前記要求に応じて前記電気機器によって読み出された前記目的データを前記電気機器から取得する
通信方法。
【請求項１３】
電気機器と通信する携帯端末装置によって実行されるコンピュータプログラムであって、
前記電気機器へ複数の電気機器に共通するアドレスである特定アドレスを指定して、前記電気機器が備える記憶部に記憶された固定データを読み出すことを要求するステップと、
前記要求に応じて前記電気機器によって読み出された前記固定データを前記電気機器から取得するステップと、
取得された前記固定データに含まれる設定アドレス情報に応じたアドレスを指定して、前記電気機器が備える記憶部に記憶された目的データを読み出すことを要求するステップと、
前記要求に応じて前記電気機器によって読み出された前記目的データを前記電気機器から取得するステップと
を含むコンピュータプログラム。
【請求項１４】
電気機器と、
前記電気機器と通信を行う携帯端末装置とを備え、
前記電気機器は、
目的データを記憶する設定記憶領域を含む可変記憶部と、
少なくとも前記設定記憶領域のアドレスを示す設定アドレス情報を含む固定データを記憶するものであって、前記固定データを他の電気機器と共通するアドレスである特定アドレスに記憶する固定記憶部と、
前記携帯端末装置と通信を行う機器通信部と、
前記可変記憶部及び前記固定記憶部からデータを読み出し、その読み出された読出データを前記機器通信部によって前記携帯端末装置へ送信させるアクセス制御部とを備え、
前記携帯端末装置は、
前記機器通信部と通信を行う携帯通信部と、
前記特定アドレスを記憶する特定アドレス記憶部と、
前記携帯通信部によって前記機器通信部へ、前記特定アドレスを指定する前記固定記憶部の読出し要求を送信させることにより、前記機器通信部から前記固定データを前記読出データとして送信させ、前記固定データを取得する固定データ取得部と、
前記固定データ取得部によって取得された前記固定データに含まれる前記設定アドレス情報を取得し、前記取得された設定アドレス情報に基づき読出しアドレスを指定する前記可変記憶部の読出し要求を、前記携帯通信部によって前記機器通信部へ送信させることにより、前記機器通信部から前記目的データを前記読出データとして送信させ、前記送信された読出データから前記目的データを取得する目的データ取得部とを備える通信システム。
【請求項１５】
前記電気機器は、
前記目的データを暗号化する機器暗号化部をさらに備え、
前記アクセス制御部は、前記機器通信部によって、前記可変記憶部の読出し要求が受信されたとき、前記受信された読出し要求により指定された読出しアドレスから読み出された読出データを、前記暗号化部によって暗号化させ、前記暗号化された読出データを、前記機器通信部によって前記携帯端末装置へ送信させ、
前記目的データ取得部は、前記暗号化された目的データを取得する請求項１４記載の通信システム。
【手続補正２】
【補正対象書類名】明細書
【補正対象項目名】発明の名称
【補正方法】変更
【補正の内容】
【発明の名称】通信システム、電気機器、携帯端末装置、通信方法、及びコンピュータプログラム